(57)【特許請求の範囲】
【請求項１】
商品の価格が所定金額以上か否かを判断する判断手段と、
前記判断手段が前記所定金額以上であると判断した商品について、値札に表示する当該商品の税込価格を含む値札情報を作成するとともに、前記判断手段が前記所定金額未満であると判断した商品について、値札に表示する当該商品の本体価格および当該本体価格に対して課税される税が存在することを示す情報を含む値札情報を作成する値札情報作成手段と、
前記値札情報作成手段が作成した前記値札情報を出力する出力手段と、
を備えた情報処理装置。
【請求項２】
前記値札情報作成手段は、前記税が存在することを示す情報として、前記本体価格に対して税が存在することを示す文字情報を含む値札情報を作成する、
請求項１に記載の情報処理装置。
【請求項３】
前記値札情報作成手段は、前記本体価格に対して税が存在することを示す文字情報を前記本体価格の直下位置に表示させる値札情報を作成する、
請求項２に記載の情報処理装置。
【請求項４】
前記値札情報作成手段は、前記判断手段が所定金額未満であると判断した商品について、当該商品の本体価格および当該本体価格に対する税額を含む値札情報を作成する、
請求項１に記載の情報処理装置。
【請求項５】
前記値札情報作成手段が作成する前記値札情報は、ネットワークを介して接続されたプリンタが値札に印字する印字情報である、
請求項１乃至４の何れか一に記載の情報処理装置。
【請求項６】
情報処理装置をコンピュータによって制御するためのプログラムであって、
前記コンピュータを、
商品の価格が所定金額以上か否かを判断する判断手段と、
前記判断手段が前記所定金額以上であると判断した商品について、値札に表示する当該商品の税込価格を含む値札情報を作成するとともに、前記判断手段が前記所定金額未満であると判断した商品について、値札に表示する当該商品の本体価格および当該本体価格に対して課税される税が存在することを示す情報を含む値札情報を作成する値札情報作成手段と、
前記値札情報作成手段が作成した前記値札情報を出力する出力手段と、
して機能させるためのプログラム。
【発明の詳細な説明】
【技術分野】
【０００１】
本発明の実施の形態は、情報処理装置およびプログラムに関する。
【背景技術】
【０００２】
従来から、商品に付された値札は、商品の本体の価格である本体価格に消費税等の税額を加算した税込価格を表示していた。商品陳列棚に設けられた電子棚札においても同様に税込価格を表示していた。
【０００３】
しかしながら、従来の値札は、安価な商品であっても税込価格で表示しているため、安価な商品であるにもかかわらず消費者に割安感を与えることができなかった。
【発明の概要】
【発明が解決しようとする課題】
【０００４】
本発明が解決しようとする課題は、安価な商品について割安感を与えることが可能な情報処理装置およびプログラムを提供することである。
【課題を解決するための手段】
【０００５】
実施形態の情報処理装置は、商品の価格が所定金額以上か否かを判断する判断手段と、前記判断手段が前記所定金額以上であると判断した商品について、値札に表示する当該商品の税込価格を含む値札情報を作成するとともに、前記判断手段が前記所定金額未満であると判断した商品について、値札に表示する当該商品の本体価格および当該本体価格に対して課税される税が存在することを示す情報を含む値札情報を作成する値札情報作成手段と、前記値札情報作成手段が作成した前記値札情報を出力する出力手段と、を備える。
【０００６】
また、実施形態のプログラムは、情報処理装置をコンピュータによって制御するためのプログラムであって、前記コンピュータを、商品の価格が所定金額以上か否かを判断する判断手段と、前記判断手段が前記所定金額以上であると判断した商品について、値札に表示する当該商品の税込価格を含む値札情報を作成するとともに、前記判断手段が前記所定金額未満であると判断した商品について、値札に表示する当該商品の本体価格および当該本体価格に対して課税される税が存在することを示す情報を含む値札情報を作成する値札情報作成手段と、前記値札情報作成手段が作成した前記値札情報を出力する出力手段と、して機能させる。
【図面の簡単な説明】
【０００７】
【図１】図１は、実施形態にかかるサーバおよび店舗サーバを含む値札発行システムのシステム構成を示す模式図である。
【図２】図２は、店舗サーバのハードウェア構成を示すブロック図である。
【図３】図３は、サーバのハードウェア構成を示すブロック図である。
【図４】図４は、商品マスタのデータ構成を示す図である。
【図５】図５は、サーバの機能構成を示すブロック図である。
【図６】図６は、サーバにおける値札情報作成処理の流れを示すフローチャート、および店舗サーバにおける値札印字処理の流れを示すフローチャートを関連的に示した図である。
【図７】図７は、入力画面の表示例を示す図である。
【図８】図８は、商品情報画面の表示例を示す図である。
【図９】図９は、値札の印字発行例を示す図である。
【図１０】図１０は、値札の別の印字発行例を示す図である。
【発明を実施するための形態】
【０００８】
以下、添付図面を参照して、実施形態に係る情報処理装置およびプログラムを詳細に説明する。実施形態では、サーバを情報処理装置の一例として説明する。なお、以下に説明する実施の形態によりこの発明が限定されるものではない。
【０００９】
図１は、実施形態にかかるサーバ１を含む値札発行システムのシステム構成を示す模式図である。本実施形態の値札発行システムは、家電製品、衣料品、靴製品、鞄製品、カー用品などを扱う店舗で使用されるものであり、例えば本部Ｐ２に設置される情報処理装置であるサーバ１と、各店舗Ｐ１に設置されるクライアント装置である複数の店舗サーバ３と、を有する。
【００１０】
サーバ１と、店舗サーバ３とは、店舗Ｐ１と本部Ｐ２とを繋ぐネットワーク２によって接続されている。ここで、ネットワーク２は、例えば、インターネットやＶＰＮ（Virtual  Private  Network）等である。
【００１１】
サーバ１は、店舗を運営する企業の本部Ｐ２に設置されており、商品コード、商品名、単価等の商品情報や店舗毎での商品の売上情報などを収集して管理する。
【００１２】
店舗サーバ３は、例えばＰＣ（Personal  Computer）、スマートフォン、携帯電話機、ＰＤＡ（Personal  Digital  Assistant）、タブレット型コンピュータ等である。店舗サーバ３は、ネットワーク２上に公開される各種情報を閲覧するためのＷｅｂブラウザ等のアプリケーションを実装する。
【００１３】
また、店舗サーバ３には、当該店舗サーバ３から送信された値札情報に従って値札を発行するためのプリンタ４が通信回線を介して接続されている。
【００１４】
プリンタ４は、商品に付す値札を作成するための値札用紙を搬送する搬送機構や、搬送機構による搬送過程で値札用紙に対して印字を行う印字機構、値札用紙を切断する切断装置等を備えている。搬送機構は、実施形態では、パルスモータ（図示せず）によって回転駆動したプラテンローラによって値札用紙を搬送する構成である。印字機構は、本実施形態ではサーマルヘッド（図示せず）によって印字を行う構成である。
【００１５】
プリンタ４は、印字媒体として用紙長尺状の台紙に感熱性の複数の値札が一列状に配置された値札用紙が適用されたプリンタであって、値札用紙に対して印字動作を行って値札を発行口から発行する。発行された値札には値札情報が印字（表示）されている。
【００１６】
係る構成の値札発行システムにおいて、本部Ｐ２に設置されたサーバ１は、画面情報をネットワーク２上に公開する。また店舗サーバ３は、Ｗｅｂブラウザを用いてＵＲＬ（Uniform  Resource  Locator）を指定することにより、ネットワーク２上に公開された画面情報を閲覧することができる。なお、店舗サーバ３に画面情報を閲覧するためのアプリケーションをインストールして閲覧するようにしてもよい。
【００１７】
次に、本実施形態の値札発行システムを構築するサーバ１および店舗サーバ３のハードウェア構成について説明する。
【００１８】
まず、店舗サーバ３について説明する。図２は、店舗サーバ３のハードウェア構成を示すブロック図である。図２において、店舗サーバ３は、制御主体となるＣＰＵ（Central  Processing  Unit）３１、各種プログラムを記憶するＲＯＭ（Read  Only  Memory）３２、各種データを展開するＲＡＭ（Random  Access  Memory）３３、各種プログラムを記憶するメモリ部３４等を備えている。ＣＰＵ３１、ＲＯＭ３２、ＲＡＭ３３、メモリ部３４は、互いにデータバス３５を介して接続されている。ＣＰＵ３１とＲＯＭ３２とＲＡＭ３３が、制御部３００を構成する。すなわち、制御部３００は、ＣＰＵ３１がメモリ部３４に記憶されＲＡＭ３３に展開された制御プログラムに従って動作することによって、後述する制御処理を実行する。
【００１９】
メモリ部３４は、電源を切っても記憶情報が保持されるＨＤＤ（Hard  Disc  Drive）やフラッシュメモリ等の不揮発性メモリであって、制御プログラムを記憶する制御プログラム部３４１を備えている。また、メモリ部３４は、ネットワーク２上に公開されている各種情報（コンテンツ）を閲覧するためのＷｅｂブラウザ３４２を記憶している。
【００２０】
また制御部３００は、データバス３５およびコントローラ３６を介して、キーボード等で構成された操作部３７、ＬＣＤ（Liquid  Crystal  Display）等で構成された表示部３８、およびプリンタ４と接続している。
【００２１】
コントローラ３６は、操作部３７からの入力信号を取り込む。また、コントローラ３６は、画像データに基づいて表示部３８を駆動制御し、画像データに応じた画像を表示部３８に表示させる。例えば、コントローラ３６は、ネットワーク２上に公開された画面情報を表示する。また、コントローラ３６は、値札情報に基づいてプリンタ４を駆動制御し、値札情報を印字装置であるプリンタ４に印字させる。プリンタ４は、値札情報を値札に印字する。
【００２２】
また、制御部３００は、データバス３５を介してネットワークＩ／Ｆ３０と接続している。このネットワークＩ／Ｆ３０は、ネットワーク２に接続している。そのため、店舗サーバ３は、ネットワークＩ／Ｆ３０を介してサーバ１と各種情報を送受信することができる。
【００２３】
次に、サーバ１について説明する。図３は、サーバ１のハードウェア構成を示すブロック図である。図３において、サーバ１は、制御主体となるＣＰＵ１１、各種プログラムを記憶するＲＯＭ１２、各種データを展開するＲＡＭ１３、各種プログラムを記憶するメモリ部１４等を備えている。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がメモリ部１４に記憶されＲＡＭ１３に展開された制御プログラムに従って動作することによって、後述する制御処理を実行する。
【００２４】
メモリ部１４は、電源を切っても記憶情報が保持されるＨＤＤやフラッシュメモリ等の不揮発性メモリであって、制御プログラムを記憶する制御プログラム部１４１を備えている。また、メモリ部１４は、商品マスタ１４２、切替金額部１４３、伝票記憶部１４４、フォーマット記憶部１４５を記憶する。商品マスタ１４２は図４を用いて後述する。切替金額部１４３は、安価商品に付す値札の印字フォーマットと高価商品に付す値札の印字フォーマットとを切替えるための基準となる切替金額を記憶する。伝票記憶部１４４は、納品された商品の納品伝票の情報を記憶する。詳細には、商品が納品されると、納品された商品を特定する商品コードおよび納品数が、納品伝票を特定する納品伝票番号と関連付けられて、メモリ部１４の伝票記憶部１４４に記憶される。フォーマット記憶部１４５は、安価商品に付す値札の印字フォーマットと高価商品に付す値札の印字フォーマットを記憶する。
【００２５】
制御部１００は、データバス１５およびコントローラ１６を介して、キーボード等で構成された操作部１８とＬＣＤ等で構成された表示部１９と接続している。また、制御部１００は、データバス１５を介してネットワークＩ／Ｆ２０と接続している。このネットワークＩ／Ｆ２０は、ネットワーク２に接続している。サーバ１は、ネットワークＩ／Ｆ２０を介して各種データやコマンドを送信する。また、サーバ１は、ネットワークＩ／Ｆ２０を介して店舗サーバ３からの各種データやコマンドを受信する。
【００２６】
コントローラ１６は、操作部１８からの入力信号を取り込む。また、コントローラ１６は、画像データに基づいて表示部１９を駆動制御し、画像データに応じた画像を表示部１９に表示させる。
【００２７】
図４は、メモリ部１４に記憶された、商品マスタ１４２の構成を示すメモリマップである。商品マスタ１４２は、商品毎に当該商品にかかる種々の商品情報を記憶する。図３において商品マスタ１４２は、商品コード部１４２１、商品名部１４２２、本体価格部１４２３、税込価格部１４２４、税率部１４２５を有している。
【００２８】
商品コード部１４２１は、商品を特定する商品コードを記憶する。商品名部１４２２は、商品の名称を記憶する。本体価格部１４２３は、税額を含まない、商品本体の価格である本体価格を記憶する。税込価格部１４２４は、本体価格に例えば消費税の税額を加算した税込価格を記憶する。税率部１４２５は、課税する税額を算出するための税率を記憶する。税額は、本体価格に税率（例えば８％）を乗じて求める。
【００２９】
次に、図５〜図１０を用いて、サーバ１および店舗サーバ３の制御処理について説明する。図５は、サーバ１の機能構成を示す機能ブロック図である。制御部１００は、メモリ部１４の制御プログラム部１４１に記憶された制御プログラムに従うことで、判断手段１０１、値札情報作成手段１０２、出力手段１０３として機能する。
【００３０】
判断手段１０１は、値札に表示する商品の価格が切替金額以上か否かを判断する機能を有する。
【００３１】
値札情報作成手段１０２は、判断手段１０１が切替金額以上であると判断した商品について、値札に表示する当該商品の税込価格を含む値札情報を作成するとともに、判断手段１０１が切替金額未満であると判断した商品について、値札に表示する当該商品の本体価格および値札に表示する当該本体価格に対して課税される税が存在することを示す「＋税」の文字情報を含む値札情報を作成する機能を有する。
【００３２】
出力手段１０３は、値札情報作成手段１０２が作成した値札情報を出力する機能を有する。
【００３３】
図６は、サーバ１で実行される値札発行処理の制御処理を示すフローチャート、および店舗サーバ３で実行される値札発行処理の制御処理を示すフローチャートを関連的に示した図である。図６において、サーバ１の制御部１００は、店舗サーバ３からのネットワーク２を介したアクセスにより、値札発行処理のための入力画面をネットワーク２上に公開し閲覧可能とする（Ｓ１１）。一方、店舗サーバ３の制御部３００は、Ｓ１１で公開された入力画面を表示部３８に表示する（Ｓ３１）。店舗サーバ３の操作者は、表示部３８に表示された入力画面を閲覧することができる。
【００３４】
図７は、サーバ１の制御部１００がＳ１１でネットワーク２に公開して閲覧可能とし、店舗サーバ３の制御部３００がＳ３１で表示部３８に表示した入力画面Ｘ１の例を示す図である。入力画面Ｘ１は、納品情報が表示される前の納品伝票を入力する画面である。
【００３５】
図７において、入力画面Ｘ１は、商品を納品した店舗を入力する店舗部Ａ１、納品伝票番号を入力する納品伝票番号部Ａ２、納品した商品の商品コードや商品名を表示する商品名部Ａ３、納品した商品の色を表示する色部Ａ４、納品した商品の分類を表示する分類部Ａ５、納品した商品のサイズ毎の納品予定数および納品数を表示する個別納品部Ａ６、商品の納品予定数および商品の納品数を表示する納品数部Ａ７、納品した商品の本体価格を表示する本体価格部Ａ８、納品した商品の税込価格を表示する税込価格部Ａ９、納品した商品にかかる税率を表示する税率部Ａ１０等を表示する。
【００３６】
また、入力画面Ｘ１は、納品伝票番号部Ａ２に入力された納品伝票番号に基づいて、納品された商品の商品コードを検索する検索ボタンＢ１、および、表示された商品それぞれについての値札を発行する値札発行ボタンＢ２を表示する。
【００３７】
図６の説明に戻る。操作者が納品伝票番号部Ａ２に納品伝票番号を入力して、検索ボタンＢ１を操作すると、制御部３００は、検索ボタンＢ１の操作を受け付ける（Ｓ３２）。
【００３８】
サーバ１の制御部１００は、検索ボタンが操作されたか否かを判断する（Ｓ１２）。サーバ１の制御部１００は、制御部３００がＳ３２で検索ボタンＢ１の操作を受け付けると、検索ボタンが操作されたと判断する。制御部１００は、検索ボタンが操作されるまで待機する（Ｓ１２のＮｏ）。検索ボタンが操作されたと判断した場合には（Ｓ１２のＹｅｓ）、制御部１００は、入力された納品伝票番号に基づいて伝票記憶部１４４を検索し、該当する納品伝票番号に関連付けられている商品コードを抽出する。そして制御部１００は、抽出した商品コードに対応する商品情報を商品マスタ１４２から読み出す（Ｓ１３）。そして制御部１００は、読み出した商品情報を反映した商品情報画面をネットワーク２上に公開し閲覧可能とする（Ｓ１４）。
【００３９】
店舗サーバ３の制御部３００は、公開された商品情報画面を表示部３８に表示する（Ｓ３３）。
【００４０】
図８は、サーバ１の制御部１００がＳ１４でネットワーク２に公開して閲覧可能とし、店舗サーバ３の制御部３００がＳ３３で表示部３８に表示した商品情報画面Ｘ２の例を示す図である。商品情報画面Ｘ２は、入力画面Ｘ１において入力された納品伝票番号に基づいて納品された商品情報が表示された画面である。図８において、図７の入力画面Ｘ１と同一構成については同一符号を付し、説明を省略する。
【００４１】
図８において、制御部３００は、制御部１００がネットワーク２に公開した商品情報に基づいて納品した商品の商品情報を表示する。すなわち、制御部３００は、納品した商品の商品名を商品名部Ａ３に表示する。同様に、納品した商品の色を色部Ａ４に表示する。納品した商品が属する分類を分類部Ａ５に表示する。納品した商品のサイズとサイズ別個数を個別納品部Ａ６に表示する。図８の例では、納品された商品Ａと商品Ｂについて、それぞれ３種類のサイズの商品が表示されている。また、制御部３００は、納品した商品の納品予定数と納品数を納品数部Ａ７に表示する。同様に、納品した商品の本体価格を本体価格部Ａ８に表示する。納品した商品の税込み価格を税込価格部Ａ９に表示する。納品した商品にかかる税率を税率部Ａ１０に表示する。
【００４２】
図６の説明に戻る。表示部３８に表示された商品情報を操作者が確認して値札発行ボタンＢ２を操作すると、制御部３００は、値札発行ボタンＢ２の操作を受け付ける（Ｓ３４）。
【００４３】
サーバ１の制御部１００は、値札発行ボタンＢ２が操作されたか否かを判断する（Ｓ１５）。制御部３００が値札発行ボタンＢ２の操作を受け付けた場合に、制御部１００は、値札発行ボタンＢ２が操作されたと判断する。値札発行ボタンＢ２が操作されたと判断した場合には（Ｓ１５のＹｅｓ）、制御部１００は、Ｓ１３で読み出した商品情報に含まれる商品の本体価格と切替金額部１４３に記憶されている所定金額である切替金額とを比較する。そして制御部１００（判断手段１０１）は、商品の本体価格が切替金額以上であるか否かを判断する（Ｓ１６）。
【００４４】
ここで、切替金額について説明する。例えば鞄や靴の場合、普段使用する安価商品と特別のときに使用する高価商品とが存在する。そして、安価商品の価格は一般的に低価格であり、高価商品の価格は高価格である。切換金額とは、この安価商品の価格と高価商品の価格との境界の価格であり、商品の本体価格である。すなわち、本体価格が切替価格より低い低価格の商品は安価商品と位置付けられ、本体価格が切替価格以上の高価格の商品は高価商品と位置付けられる。実施形態では、例えば５０００円を切換価格とする。
【００４５】
切換価格未満であると判断した場合には（Ｓ１６のＮｏ）、制御部１００（値札情報作成手段１０２）は、フォーマット記憶部１４５から安価商品用の印字フォーマットを読み出して、プリンタ４が安価商品用の値札を印字するための値札情報Ａを作成する（Ｓ１７）。図８に示すように、商品Ａは本体価格が２０００円であるため安価商品である。そのため、制御部１００は、商品Ａの価格は切替金額未満であると判断（Ｓ１６でＮｏと判断）し、Ｓ１７において安価商品用の値札を印字するための値札情報Ａを作成する。制御部１００は、商品名、商品の本体価格、本体価格に係る税額を含む値札情報Ａを作成する。また、制御部１００は、Ｓ１７において、税が存在することを示す情報である「＋税」の文字情報を含む値札情報Ａを作成する。
【００４６】
一方、切換価格以上であると判断した場合には（Ｓ１６のＹｅｓ）、制御部１００（値札情報作成手段１０２）は、フォーマット記憶部１４５から高価商品用の印字フォーマットを読み出して、プリンタ４が高価商品用の値札を印字するための値札情報Ｂを作成する（Ｓ１８）。図８に示すように、商品Ｂは本体価格が６０００円であるため高価商品である。そのため、制御部１００は、商品Ｂの価格は切替金額以上であると判断（Ｓ１６でＹｅｓと判断）し、Ｓ１８において高価商品用の値札を印字するための値札情報Ｂを作成する。制御部１００は、商品名、商品の本体価格、税率、商品の税込価格を含む値札情報Ｂを作成する。
【００４７】
次に制御部１００（出力手段１０３）は、Ｓ１７または／およびＳ１８で作成した値札情報をネットワーク２を介して店舗サーバ３に送信する（Ｓ１９）。実施形態の場合、商品Ａの値札情報と商品Ｂの値札情報を送信する。制御部１００は、同時に、商品Ａおよび商品Ｂの値札の印字枚数を送信する。そして制御部１００は、処理を終了する。
【００４８】
店舗サーバ３の制御部３００は、Ｓ１９で送信した値札情報および値札の印字枚数を受信したか否かを判断する（Ｓ３５）。受信するまで待機し（Ｓ３５のＮｏ）、受信したと判断した場合には（Ｓ３５のＹｅｓ）、制御部３００は、受信した値札情報および印字枚数に基づいてプリンタ４を制御して、値札を印字する（Ｓ３６）。そして制御部３００は、処理を終了する。実施形態では、商品Ａの値札を３枚と商品Ｂの値札を３枚印字する。
【００４９】
図９は、制御部１００がＳ１７で作成しＳ１９で送信した値札情報Ａに基づいて、店舗サーバ３がプリンタ４を制御してＳ３６で印字した、商品Ａ（安価商品）の値札Ｔ１の例を示す図である。図９において、制御部３００は、値札Ｔ１に、商品Ａの商品名Ｔ１１、商品Ａの商品コード、本体価格、税込価格等の情報をコード化したバーコードＴ１２、商品Ａの本体価格Ｔ１３を印字する。また制御部３００は、値札Ｔ１の本体価格Ｔ１３の直下位置に、商品Ａについて課税される税が存在することを示す情報を示す「＋税」の文字Ｔ１４を印字する。
【００５０】
本体価格Ｔ１３の印字文字は「＋税」の文字Ｔ１４の文字より大きく印字されている。さらに、値札Ｔ１には、本体価格Ｔ１３以外に価格に関する数字が印字されない。そのため、印字された値札Ｔ１では、本体価格Ｔ１３が強調される。本体価格は税を含まない価格であることに加え、商品Ａが安価商品であって印字された本体価格が低価格であることから、このような本体価格Ｔ１３が強調された値札Ｔ１は、商品Ａを見た顧客（消費者）に対して、商品Ａが安価商品であるとの割安感を視覚的に与えることができる。そのため、商品Ａの販売促進につなげることができる。
【００５１】
また、図１０は、制御部１００がＳ１８で作成しＳ１９で送信した値札情報Ｂに基づいて、店舗サーバ３がプリンタ４を制御してＳ３６で印字した、商品Ｂ（高価商品）の値札Ｔ２の例を示す図である。図１０において、制御部３００は、値札Ｔ２に、商品Ｂの商品名Ｔ２１、商品Ｂの商品コード、本体価格、税率、税込価格等の情報をコード化したバーコードＴ２２、商品Ｂの本体価格Ｔ２３を印字する。また制御部３００は、商品Ｂの本体価格Ｔ２３の下方位置に、商品Ｂに課税される税率Ｔ２４を印字する。また制御部３００は、商品Ｂの本体価格Ｔ２３の直下位置に、商品Ｂの税込価格Ｔ２５を印字する。
【００５２】
ここで、値札Ｔ２には、商品Ｂの税込価格Ｔ２５が本体価格Ｔ２３と共に印字される。このような値札Ｔ２は、税込価格Ｔ２５が印字されているため顧客に対して視覚的に安心感を与えることができる。また、商品Ｂが高価商品であって本体価格が高価格であることから、この本体価格および税込価格Ｔ２５が印字された値札Ｔ２は、商品Ｂを見た顧客（消費者）に対して、商品Ｂが高価商品であるとの高級感を視覚的に与えることができる。
【００５３】
このような実施形態によれば、サーバ１の制御部１００は、商品の本体価格と切替金額とを比較して、本体価格が切替金額以上の場合は当該商品の税込金額を印字するための値札情報を作成する。また、制御部１００は、本体価格が切替金額未満の場合は当該商品の本体金額および課税される税が存在することを示す情報である「＋税」の文字を印字するための値札情報を作成する。そして、低価格商品に付される値札には、本体価格が強調して印字されるとともに、本体価格の直下位置に「＋税」の文字が印字される。高価格商品に付される値札には、税込価格が表示される。そのため、安価な商品に付された値札を見た顧客に対して割安感を与えることができる。
【００５４】
なお、実施形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【００５５】
例えば、実施形態では、値札に「＋税」の文字を印字するための値札情報を作成したが、これに限ることなく、課税される税が存在することを示す文字を印字するための値札情報であればどんな値札情報でもよい。例えば「課税対象製品」「課税されます」等の文字を作成する値札情報であってもよい。
【００５６】
また、実施形態では、値札に「＋税」の文字を印字するための値札情報を作成したが、これに限ることなく、課税される税額を印字するための値札情報であってもよい。
【００５７】
また、実施形態では、切替価格と商品の本体価格とを比較したが、これに限ることなく、切替価格と商品の税込価格と比較するようにしてもよい。
【００５８】
また、実施形態では、値札に値札情報を印字することを値札情報の表示の一例としたが、これに限ることなく、例えば、電子棚札に値札情報を表示するようにしてもよい。
【００５９】
また、実施形態では、本部Ｐ２に設置されたサーバ１を情報処理装置としたが、これに限ることなく、店舗Ｐ１に設置された店舗サーバ３を情報処理装置としてもよい。
【００６０】
また、実施形態では、本体価格の直下位置に、「＋税」の文字を印字するような値札情報を作成したが、これに限ることなく、本体価格の近辺に「＋税」の文字が印字される値札情報を作成するようにしてもよい。
【００６１】
なお、実施形態のサーバ１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００６２】
また、実施形態のサーバ１で実行されるプログラムを、インターネット等のネットワークに接続されたコンピュータ上に格納し、ネットワーク経由でダウンロードさせることにより提供するように構成しても良い。また、実施形態のサーバ１で実行されるプログラムをインターネット等のネットワーク経由で提供または配布するように構成しても良い。
【００６３】
また、実施形態のサーバ１で実行されるプログラムを、ＲＯＭ等に予め組み込んで提供するように構成してもよい。
【符号の説明】
【００６４】
１  サーバ
３  店舗サーバ
４  プリンタ
１００  制御部
１０１  判断手段
１０２  値札情報作成手段
１０３  出力手段
１４２  商品マスタ
１４３  切替金額部
Ｔ１  値札
Ｔ２  値札
【先行技術文献】
【特許文献】
【００６５】
【特許文献１】特開２００７−１３３８９９号公報
【図１】
0006321598.tif 000002
【図２】
0006321598.tif 000003
【図３】
0006321598.tif 000004
【図４】
0006321598.tif 000005
【図５】
0006321598.tif 000006
【図６】
0006321598.tif 000007
【図７】
0006321598.tif 000008
【図８】
0006321598.tif 000009
【図９】
0006321598.tif 000010
【図１０】
0006321598.tif 000011